(57)【要約】【課題】分電盤に２系統の開閉器を設けることなく、かつ分電盤と各居室間の電源供給線は１系統で足り、商用電源と分電盤の間に余分なＯＮ−ＯＦＦスイッチが不要であり、商用電源と分電盤を直接接続でき、遠隔操作スイッチが不要であり、安定した品質を容易に確保できる配線ユニットを用いることができ、これにより建設現場における配線ミスや配線不良を低減でき、かつ玄関に設けたスイッチで全ての部屋の照明を消灯することができる全室消灯用配線ユニットおよび配線構造を提供する。【解決手段】分電盤１に接続される１系統の電源供給線１２と、外出時に切断する節電器具３に配線するために必要な長さに設定された１又は複数系統の節電器具用枝線１４と、住宅の玄関部に設けられた玄関スイッチ２２に接続される１系統の玄関スイッチ用枝線１６と、前記電源供給線と節電器具用枝線を前記玄関スイッチでＯＮ−ＯＦＦ可能に接続するジョイントボックス２０とを備えた。【選択図】図２
2007209170.tif 000002
【特許請求の範囲】
【請求項１】
分電盤に接続される１系統の電源供給線と、外出時に切断する節電器具に配線するために必要な長さに設定された１又は複数系統の節電器具用枝線と、住宅の玄関部に設けられた玄関スイッチに接続される１系統の玄関スイッチ用枝線と、前記電源供給線と節電器具用枝線を前記玄関スイッチでＯＮ-ＯＦＦ可能に接続するジョイントボックスとを備えたことを特徴とする全室消灯用配線ユニット。
【請求項２】
更に、外出時に切断しない常用器具に配線するために必要な長さに設定された１又は複数系統の常用器具用枝線を備え、かつ前記ジョイントボックスは前記電源供給線と常用器具用枝線を常時接続する、ことを特徴とする請求項１に記載の全室消灯用配線ユニット。
【請求項３】
前記電源供給線、節電器具用枝線、常用器具用枝線及び節電器具用枝線は、ジョイントボックスから放射状あるいは扇状に伸びており、
さらに、前記ジョイントボックス内で前記節電器具用枝線と直列に接続され、かつ節電器具用のＯＮ-ＯＦＦスイッチに配線するために必要な長さに設定された１又は複数系統の照明スイッチ用枝線を備える、ことを特徴とする請求項１に記載の全室消灯用配線ユニット。
【請求項４】
前記節電器具は、すべて照明器具であることを特徴とする請求項１乃至３のいずれかに記載の全室消灯用配線ユニット
【請求項５】
請求項１乃至４のいずれかに記載の配線ユニットを住宅内に複数設け、住宅の玄関に設けた玄関スイッチに複数系統の玄関スイッチ用枝線を接続したことを特徴とする全室消灯用配線構造。
【請求項６】
複数の玄関スイッチ用枝線に対応する数の玄関スイッチを住宅の玄関に設け、該複数の玄関スイッチを１つのパネル内に配置することを特徴とする請求項５に記載の全室消灯用配線構造。
【請求項７】
複数の玄関スイッチ用枝線に対応する複数の接続端子を有し、該複数の接続端子を１つの釦で制御する複合玄関スイッチを住宅の玄関に設け、該複合玄関スイッチの各接続端子にそれぞれ玄関スイッチ用枝線を接続することを特徴とする請求項５に記載の全室消灯用配線構造。
【発明の詳細な説明】
【技術分野】
【０００１】
本発明は、戸建て住宅や集合住宅の室内照明を玄関に設けられたスイッチで全て消灯するための全室消灯用配線ユニットおよび配線構造に関する。
【背景技術】
【０００２】
戸建て住宅や集合住宅において、節電のために外出時に住宅内の全ての照明を消灯することが一般的に望まれている。しかし、現実には、忙しい外出間際に全ての部屋の消灯を再確認する作業は面倒であり、省略されることもある。そのため、玄関先において簡単な操作で全ての部屋の照明を消灯できることが強く要望されていた。
【０００３】
この要望を満たすために、特許文献１が既に提案されている。この手段は、図６に示すように、商用電源５１と分電盤５２との間の配線にスイッチ５３，５４を設け、そのスイッチを切断（ＯＦＦにする）ことで住宅内の全ての照明を消灯させるものである。
より具体的には、分電盤５２に設けられる開閉器を常用機器用開閉器５５と節電機器用開閉器５６に分け、それぞれに商用電源５１からの配線を接続し、商用電源５１と節電機器用開閉器５６との配線の途中にＯＮ−ＯＦＦスイッチ５３，５４を設け、このスイッチを遠隔操作でＯＦＦにすることで節電機器用開閉器５６から先の配線に接続される電源を遮断するというものである。そして、節電機器用開閉器５６から先に接続される機器が照明器具であれば、遠隔操作スイッチ５７，５８の１つによって照明すべてを消灯することが可能になる。
【０００４】
一方、住宅を建設する上で、部材を工場生産して建設現場で組み立てる工法は、個々の部材の品質向上や品質の均一化、あるいは建設現場における作業性の向上を図る上で重要な要素になっている。そして、住宅内の電気配線についても、ユニット化が推進され、配線構造や電気配線のユニット化について様々な提案がなされている（例えば特許文献２）。
【０００５】
図７は、特許文献２に例示された配線ユニット及び配線構造の従来例である。この例は、マンション等の集合住宅の１住戸（住宅）を事例に電気配線をユニット化し、配線したものの一部である。この事例は、住戸内にある各室、例えば寝室となる洋室１，２や和室、リビング・ダイニング、台所、浴室・洗面所といった部屋の用途によって必要とされる一群のケーブルを１つの配線ユニットとして形成し、夫々の配線ユニットを住戸内にある分電盤１に接続するというものである。
【０００６】
この図のとおり、洋室１、洋室２、和室について、夫々、接続部６７からは、分電盤６１に接続される電源供給線６２の他に、照明器具６３や照明用スイッチ６４、コンセント６５等の器具に接続される枝線６６が結線されており、これらが１つの配線ユニットとして構成されている。電源供給線６２と枝線６６を結線する接続部６７は、結線部の絶縁性を高めるために、結線後に接続部６７を樹脂等で固めるいわゆるモールド加工されるのが一般的である。
このように、配線がユニット化されることで、工場生産による品質確保と、建設現場での作業性の向上が可能である。
【０００７】
【特許文献１】特開２０００−０２３３６３号公報、「待機電力節約システム及び待機電力節約装置」
【特許文献２】特開２００５−２７８３１３号公報、「配線ユニット及び配線構造」
【発明の開示】
【発明が解決しようとする課題】
【０００８】
特許文献１の手段の場合、（１）分電盤５２に常用機器用開閉器５５と節電機器用開閉器５６の２系統の開閉器が必要になるとともに、分電盤５２と各居室間の電源供給線が２系統づつ必要になる、（２）商用電源５１と節電機器用開閉器５６との間に設けたＯＮ−ＯＦＦスイッチ５３を遠隔操作する操作釦５８を玄関に設ける必要があり、そこに新たな配線が必要になるという問題点があった。
また、特許文献１の手段の場合、（３）ＯＮ−ＯＦＦスイッチ５３，５４を遠隔操作できるように構成する必要があり、工場生産に適した配線ユニットは適用できない問題点があった。
そのため、それでなくても多い配線作業に加えて、（４）さらに新たな配線が加わることによって配線ミスをまねいたり、配線不良を生じさせたりする可能性が高くなるという問題点があった。
【０００９】
一方、特許文献２の手段の場合、配線ユニットは、接続部６７すなわちモールドジョイント（電線の接続部を保護するジョイントボックス内を樹脂等でモールドしたもの）を起点として、コンセント用配線、照明用配線、照明スイッチ用配線が、予め所定の長さに加工されており、モールドジョイントから分電盤に伸びる電源供給配線を分電盤６１に備え付けられた開閉器（ブレーカー）に接続することで配線が完了する。
【００１０】
図８は、特許文献２の配線ユニットを模式図に表したものである。配線ユニットは、上述したように、接続部６７に、分電盤６１に接続される電源供給線６２の他に、照明器具６３や照明用スイッチ６４、コンセント６５等の器具に接続される枝線６６が結線されたものであり、これらが１つのユニットとして構成されたものである。
配線ユニットの構成は、コンセントや照明の数が異なるだけで、基本構成は洋室、和室、リビング等で同一である。
配線ユニットは、設計図書に基づき予め工場加工され、建築現場に搬入して配線工事を行うものであり、配線工事を行う作業者の技量に左右されることなく安定した品質を確保できる。また、コンセント用配線、照明用配線、照明スイッチ用配線は、それぞれ異なる色の被覆を行った電線を使用しているので、配線間違いもないという利点がある。
【００１１】
しかし、このような配線ユニットを用いた場合、玄関先において簡単な操作で全ての部屋の照明を消灯できるようにすることができない問題点があった。
【００１２】
本発明は上述した問題点を解決するために創案されたものである。すなわち、本発明の目的は、（１）分電盤に２系統の開閉器を設けることなく、かつ分電盤と各居室間の電源供給線は１系統で足り、（２）商用電源と分電盤の間に余分なＯＮ−ＯＦＦスイッチが不要であり、商用電源と分電盤を直接接続でき、（３）遠隔操作スイッチが不要であり、（４）従来と同様に安定した品質を容易に確保できる配線ユニットを用いることができ、これにより建設現場における配線ミスや配線不良を最小限に低減でき、かつ玄関に設けたスイッチで全ての部屋の照明を消灯することができる全室消灯用配線ユニットおよび配線構造を提供することにある。
【課題を解決するための手段】
【００１３】
本発明によれば、分電盤に接続される１系統の電源供給線と、外出時に切断する節電器具に配線するために必要な長さに設定された１又は複数系統の節電器具用枝線と、住宅の玄関部に設けられた玄関スイッチに接続される１系統の玄関スイッチ用枝線と、前記電源供給線と節電器具用枝線を前記玄関スイッチでＯＮ−ＯＦＦ可能に接続するジョイントボックスとを備えたことを特徴とする全室消灯用配線ユニットが提供される。
【００１４】
本発明の好ましい実施形態によれば、更に、外出時に切断しない常用器具に配線するために必要な長さに設定された１又は複数系統の常用器具用枝線を備え、かつ前記ジョイントボックスは前記電源供給線と常用器具用枝線を常時接続する。
【００１５】
また、前記電源供給線、節電器具用枝線、常用器具用枝線及び節電器具用枝線は、ジョイントボックスから放射状あるいは扇状に伸びており、
さらに、前記ジョイントボックス内で前記節電器具用枝線と直列に接続され、かつ節電器具用のＯＮ−ＯＦＦスイッチに配線するために必要な長さに設定された１又は複数系統の照明スイッチ用枝線を備える。
【００１６】
また、前記節電器具は、すべて照明器具であることが好ましい。
【００１７】
また本発明によれば、上述した全室消灯用配線ユニットを住宅内に複数設け、住宅の玄関に設けた玄関スイッチに複数系統の玄関スイッチ用枝線を接続したことを特徴とする全室消灯用配線構造が提供される。
【００１８】
本発明の好ましい実施形態によれば、複数の玄関スイッチ用枝線に対応する数の玄関スイッチを住宅の玄関に設け、該複数の玄関スイッチを１つのパネル内に配置する。
【００１９】
また、複数の玄関スイッチ用枝線に対応する複数の接続端子を有し、該複数の接続端子を１つの釦で制御する複合玄関スイッチを住宅の玄関に設け、該複合玄関スイッチの各接続端子にそれぞれ玄関スイッチ用枝線を接続することが好ましい。
【発明の効果】
【００２０】
上記本発明の構成によれば、（１）分電盤に２系統の開閉器を設ける必要はなく、かつ分電盤に各全室消灯用配線ユニットの１系統の電源供給線が接続されるので、分電盤とジョイントボックス（例えば各居室）間の電源供給線は１系統で足りる。
また、（２）商用電源と分電盤の間に余分なＯＮ−ＯＦＦスイッチが不要であり、商用電源と分電盤を直接接続でき、かつ（３）遠隔操作スイッチが不要である。
【００２１】
さらに、（４）本発明の全室消灯用配線ユニットは、従来の配線ユニットと類似の、電源供給線、複数の枝線（節電器具用枝線、常用器具用枝線、玄関スイッチ用枝線）およびジョイントボックスからなる構成であるため、従来と同様に、工場生産による品質確保と、建設現場での作業性の向上が可能である。
さらに、玄関スイッチ用枝線は住宅の玄関部に設けられた玄関スイッチに接続され、ジョイントボックスは、電源供給線と常用器具用枝線を常時接続しかつ電源供給線と節電器具用枝線を玄関スイッチでＯＮ−ＯＦＦ可能に接続するので、玄関に設けた玄関スイッチで全ての部屋の照明を消灯することができる。
【発明を実施するための最良の形態】
【００２２】
以下、本発明の好ましい実施形態を図面を参照して説明する。なお各図において、共通する部分には同一の符号を付し、重複した説明は省略する。
【００２３】
図１は、本発明による全室消灯用配線ユニットの第１実施形態図である。この図において、本発明の全室消灯用配線ユニット１０は、図で左側の第１配線ユニット１０Ａと右側の第２配線ユニット１０Ｂからなる。
また各配線ユニット１０Ａ，１０Ｂは、それぞれ１系統の電源供給線１２、１又は複数系統の節電器具用枝線１４、１又は複数系統の常用器具用枝線１６、１系統の玄関スイッチ用枝線１８、およびジョイントボックス２０からなる。
【００２４】
各配線ユニット１０Ａ，１０Ｂの電源供給線１２は、分電盤１に設けられた開閉器２（例えば、ノーヒューズブレーカ）にそれぞれ好ましくは直接接続される。なおこの間を別のジョイントボックス（図示せず）を介して間接的に接続してもよい。
【００２５】
節電器具用枝線１４は、この例では第１配線ユニット１０Ａ用に１系統、第２配線ユニット１０Ｂ用に３系統設けられ、それぞれ外出時に切断する節電器具３に配線するために必要な長さに設定されている。この例では、節電器具３はすべて照明器具である。
【００２６】
常用器具用枝線１６は、この例では第１配線ユニット１０Ａ用に２系統、第２配線ユニット１０Ｂ用に４系統設けられ、それぞれ外出時に切断しない常用器具４に配線するために必要な長さに設定されている。この例では、常用器具４は例えばコンセントである。
【００２７】
玄関スイッチ用枝線１８は、各配線ユニット１０Ａ，１０Ｂにそれぞれ１系統設けられ、それぞれ住宅の玄関部に設けられた玄関スイッチ２２に接続される。
【００２８】
ジョイントボックス２０は、各配線ユニット１０Ａ，１０Ｂにそれぞれ１つ設けられる。このジョイントボックス２０は、その内部で電源供給線１２と常用器具用枝線１６を常時接続している。またこのジョイントボックス２０は、その内部で、電源供給線１２と節電器具用枝線１６を玄関部に設けられた玄関スイッチ２２の接点２２ａを介してＯＮ−ＯＦＦ可能に接続している。
なお、ジョイントボックス２０は、結線後に接続部を樹脂等で固めたいわゆるモールドジョイントボックスであるのがよい。
【００２９】
この図において、電源供給線１２、節電器具用枝線１４、常用器具用枝線１６及び玄関スイッチ用枝線１８は、ジョイントボックス２０から放射状あるいは扇状に伸びている。
また、本発明の全室消灯用配線ユニット１０は、さらに、ジョイントボックス２０内で玄関スイッチ用枝線１８の接点１８ａとその接点２４ａが直列に接続された１又は複数系統の照明スイッチ用枝線２４を備える。照明スイッチ用枝線２４は、節電器具３用のＯＮ−ＯＦＦスイッチ５に配線するために必要な長さに設定されている。
【００３０】
図１に示した本発明の全室消灯用配線ユニット１０が、従来の配線ユニットと異なる点は、ジョイントボックス２０内において、節電器具用枝線１４とそのスイッチ配線（照明スイッチ用枝線２４）が開閉器２からの電源供給線１２に接続される間に玄関スイッチ用枝線１８が組込まれている点にある。
特に図の右側の配線模式図で分かるとおり、ジョイントボックス２０内で開閉器２からの電源供給線１２をコンセント用配線系（常用器具用枝線１６）と照明用配線系（節電器具用枝線１４）に分岐し、照明用配線系と電源供給線に接続される間に玄関スイッチ用枝線１８が組込まれていることで、玄関スイッチ２２により遮断しても照明用配線系の通電が遮断されるだけで、コンセント用配線の通電は遮断されない。
【００３１】
図２は図１の全室消灯用配線ユニットを用いた配線構造を示す平面図である。この図において、本発明の全室消灯用配線構造では、図１に示した全室消灯用配線ユニット１０を住宅内に複数設け、住宅の玄関に設けた玄関スイッチ２２に複数系統の玄関スイッチ用枝線１８を接続する。
複数の玄関スイッチ用枝線１８に対応する数の玄関スイッチ２２を住宅の玄関に設け、この複数の玄関スイッチ２２を１つのパネル内に配置するのがよい。
【００３２】
図３は、本発明による全室消灯用配線ユニットの第２実施形態図である。
実際の建物では、第１実施形態として説明した洋室用の配線ユニット１０Ａと、和室・リビング用の配線ユニット１０Ｂだけではなく、その他の洋室用や、台所用、浴室・洗面所用といった配線ユニットが必要であり、上述の基本的配線ユニットの考え方では、配線ユニットの数だけ玄関スイッチの数が増えることになる。
【００３３】
そこで、図３に示すように、住宅内の配線をコンセント用配線系３０と照明用配線系３２に区分し、複数の部屋の照明用配線（節電器具用枝線１４）を１つの全室消灯用配線ユニット１０にすることで、玄関スイッチ２２の数を減らすこともできる。
但し、いずれにしても、照明用配線系（節電器具用枝線１４）が電源供給線１２に接続される間に玄関スイッチ用枝線１８が組込まれているという全室消灯用配線ユニット１０の基本構成に変わりはない。
【００３４】
図４は、図３の全室消灯用配線ユニット１０を用いた配線構造を示す平面図である。この図は、複数の部屋の照明用配線系（節電器具用枝線１４）を３つの全室消灯用配線ユニット１０にまとめた場合を示している。また、この図では、図３と同様に、住宅内の配線をコンセント用配線系３０と照明用配線系３２に区分し、照明用配線系３２のみを示している。
なお、この例では、節電器具３は、すべて照明器具であり、白熱灯又は蛍光灯である。
【００３５】
図５は、本発明による全室消灯用配線ユニットの第３実施形態図であり、複数の全室消灯用配線ユニット１０を用いた配線構造において、玄関スイッチ２２を１つにまとめたものである。
すなわちこの例では、複数の接続端子２６ｂを１つの釦で制御する複合玄関スイッチ２６を住宅の玄関に設ける。
複合玄関スイッチ２６は、複数の玄関スイッチ用枝線１８に対応する複数の接続端子２６ｂを有し、この複数の接続端子２６ｂを１つの釦で制御するようになっている。また、複合玄関スイッチ２６の各接続端子２６ｂにそれぞれ玄関スイッチ用枝線１８を接続する。
この構成により、複合玄関スイッチ２６は、複数の接続端子２６ｂを有し、１つの釦によって複数の接続端子２６ｂの接点を同時にＯＮ−ＯＦＦできるので、
これにより、複数の全室消灯用配線ユニット１０からの玄関スイッチ用配線１８を１つの釦で制御できる。
【００３６】
上述したように、本発明の構成によれば、（１）分電盤１に２系統の開閉器を設ける必要はなく、かつ分電盤１に各全室消灯用配線ユニット１０の１系統の電源供給線１２のみが接続されるので、分電盤１とジョイントボックス２０（例えば各居室）間の電源供給線１２は１系統のみで足りる。
また、（２）商用電源と分電盤１の間に余分なＯＮ−ＯＦＦスイッチが不要であり、商用電源と分電盤を直接接続でき、かつ（３）遠隔操作スイッチが不要である。
さらに、（４）本発明の全室消灯用配線ユニット１０は、従来と類似の、電源供給線１２、複数の枝線（節電器具用枝線１４、常用器具用枝線１６、玄関スイッチ用枝線１８）およびジョイントボックス２０からなる構成であるため、従来と同様に、工場生産による品質確保と、建設現場での作業性の向上が可能である。
さらに、玄関スイッチ用枝線１８は住宅の玄関部に設けられた玄関スイッチ２２，２６に接続され、ジョイントボックス２０は、電源供給線１２と常用器具用枝線１６を常時接続しかつ電源供給線１２と節電器具用枝線１４を玄関スイッチ２２，２６でＯＮ−ＯＦＦ可能に接続するので、玄関に設けた玄関スイッチ２２，２６で全ての部屋の照明を消灯することができる。
【００３７】
なお、本発明は、上述した実施形態に限定されず、本発明の要旨を逸脱しない範囲で種々に変更することができることは勿論である。
【図面の簡単な説明】
【００３８】
【図１】本発明による全室消灯用配線ユニットの第１実施形態図である。
【図２】図１の全室消灯用配線ユニットを用いた配線構造を示す平面図である。
【図３】本発明による全室消灯用配線ユニットの第２実施形態図である。
【図４】図３の全室消灯用配線ユニットを用いた配線構造を示す平面図である。
【図５】本発明による全室消灯用配線ユニットの第３実施形態図である。
【図６】特許文献１の装置の模式図である。
【図７】特許文献２に例示された配線ユニット及び配線構造の従来例である。
【図８】特許文献２の配線ユニットの模式図である。
【符号の説明】
【００３９】
１  分電盤、２  開閉器、３  節電器具（照明器具）、
４  常用器具（コンセント）、５  ＯＮ−ＯＦＦスイッチ、
１０  全室消灯用配線ユニット、１０Ａ  第１配線ユニット、
１０Ｂ  第２配線ユニット、１２  電源供給線、
１４  節電器具用枝線、１６  常用器具用枝線、
１８  玄関スイッチ用枝線、１８ａ  接点、
２０  ジョイントボックス、２２  玄関スイッチ、
２２ａ  接点、２６  複合玄関スイッチ、２６ｂ  接続端子、
３０  コンセント用配線系、３２  照明用配線系
【図１】
2007209170.tif 000003
【図２】
2007209170.tif 000004
【図３】
2007209170.tif 000005
【図４】
2007209170.tif 000006
【図５】
2007209170.tif 000007
【図６】
2007209170.tif 000008
【図７】
2007209170.tif 000009
【図８】
2007209170.tif 000010